(57)【要約】      （修正有）【課題】人体感知モジュールが交換可能に設置され、且つ人体モジュールが人を感知した時或いは感知しない時に対応して光源のスイッチをオン、オフ或いは明るさの強度を変更することができる省電力照明装置を提供する。【解決手段】省電力照明装置は、挿し込み溝が設ける固定部材１０と、固定部材と組み合わせられ、且つプリント基板と電気的に接続する光源２０と、連接部３１と、連接部を挿し込み溝に挿し込むことで、連接部がコネクタと電気的に接続する人体感知モジュール３０と、人体から放射された赤外線熱輻射を感知して、感知信号を送信する赤外線感知ユニット４０と、赤外線感知ユニット及び連接部にそれぞれ電気的に接続され、感知信号を受信し、且つ感知信号と対応する駆動信号を生成して、光源が前記駆動信号によって、対応する照度の光を発する駆動制御ユニット５０と、を備える。【選択図】図１
0003186754.tif 000002
【実用新案登録請求の範囲】
【請求項１】
人体感知モジュールを備える省電力照明装置において、
挿し込み溝が設けられ、前記挿し込み溝にプリント基板のコネクタが収容される固定部材と、
前記固定部材と組み合わせられ、且つ前記プリント基板と電気的に接続される光源と、
連接部を備え、前記連接部を前記挿し込み溝に挿し込んで、前記連接部が前記コネクタと電気的に接続される人体感知モジュールと、
前記人体感知モジュールに設置され、且つ人体から放射された赤外線熱輻射を感知して、感知信号を送信する赤外線感知ユニットと、
前記人体感知モジュールの内部に設置され、且つ前記赤外線感知ユニット及び前記連接部とそれぞれ電気的に接続され、前記感知信号を受信し、且つ前記感知信号と対応する駆動信号を生成して、前記光源が前記駆動信号によって、対応する照度の光を発する駆動制御ユニットと、を備えることを特徴とする人体感知モジュールを備えた省電力照明装置。
【請求項２】
前記光源はＬＥＤ照明灯具であり、前記駆動制御ユニットはＬＥＤ駆動制御ＩＣを備え、前記ＬＥＤ駆動制御ＩＣは、前記感知信号に対応する駆動信号を生成し、該駆動信号に対応して前記光源のスイッチをオン、オフ或いは明るさの強度を変更することを特徴とする請求項１に記載の人体感知モジュールを備えた省電力照明装置。
【請求項３】
前記人体感知モジュールを備えた省電力照明装置は回路保護ユニットをさらに備え、前記回路保護ユニットは、前記人体感知モジュールの内部に設置されて、電流の異常、電圧の異常或いは前記光源が過熱した際、前記駆動制御ユニットと前記回路保護ユニットとの間に短絡を発生させることを特徴とする請求項１または２に記載の人体感知モジュールを備えた省電力照明装置。
【請求項４】
前記光源はＬＥＤ照明灯具であり、前記駆動制御ユニットはＬＥＤ駆動制御ＩＣを備え、前記ＬＥＤ駆動制御ＩＣは、電流の異常、電圧の異常或いは前記光源が過熱した際、前記駆動制御ユニットと前記プリント基板との間に短絡を発生させることを特徴とする請求項１から３のいずれか一項に記載の人体感知モジュールを備えた省電力照明装置。
【請求項５】
前記省電力照明装置は、状態指示ユニットをさらに備え、前記状態指示ユニットは、前記人体感知モジュールに設置され、且つ前記赤外線感知ユニットと前記駆動制御ユニットとに電気的に接続されて、前記人体感知モジュールの正常或いは故障状態を知らせることを特徴とする請求項１から４のいずれか一項に記載の人体感知モジュールを備えた省電力照明装置。
【請求項６】
前記赤外線感知ユニットは、焦電性赤外線感知部材を備えることを特徴とする請求項１から５のいずれか一項に記載の人体感知モジュールを備えた省電力照明装置。
【考案の詳細な説明】
【技術分野】
【０００１】
本考案は、人体感知モジュールを備えた省電力照明装置に関し、特に人体の温度を感知して、自動的に光源のスイッチをオン、オフ或いは明るさの強度を変更する省電力照明装置に関するものである。
【背景技術】
【０００２】
従来の人体感知照明装置は、赤外線感知器によって照明の光源を駆動する。例えば、廊下、階段等長い時間光を照射する必要がない場所に設置して、人が通過する時のみ照明の光源を作動させる。これにより、電力を節約することができる。しかし、人体感知照明装置は、蛍光管或いは電球と共に取り付けられているので、この内１つの部品が損傷した場合、感知照明装置全体を交換しなければならない。例えば、従来の蛍光管或いは電球は、ＬＥＤ発光部材によって形成されており、ＬＥＤ発光部材は損傷しにくく、使用寿命も長い。しかし、ＬＥＤ発光部材と、人体感知機能を有するＬＥＤ灯管或いはＬＥＤ電球と、を組み合わせて使用する際、一部の部材が損傷した場合、人体感知照明装置全体を交換しなければならないので、資源の浪費でありさらに環境も汚染してしまう。
【考案の概要】
【考案が解決しようとする課題】
【０００３】
以上の問題点に鑑みて、本考案は、人体感知モジュールが交換可能に設置され、且つ人体モジュールが人を感知した時或いは感知しない時に対応して光源のスイッチをオン、オフ或いは明るさの強度を変更することができる省電力照明装置を提供することを目的とする。
【課題を解決するための手段】
【０００４】
本考案の人体感知モジュールを備えた省電力照明装置は、挿し込み溝が設けられ、挿し込み溝にプリント基板のコネクタが収容される固定部材と、該固定部材と組み合わせられ、且つプリント基板と電気的に接続される光源と、連接部と、を備える。また、前記省電力照明装置は、連接部を挿し込み溝に挿し込むことで、連接部がコネクタと電気的に接続される人体感知モジュールと、人体感知モジュールに設置され、且つ人体から放射された赤外線熱輻射を感知して、感知信号を送信する赤外線感知ユニットと、人体感知モジュールの内部に設置され、且つ赤外線感知ユニット及び連接部にそれぞれ電気的に接続され、感知信号を受信し、且つ感知信号と対応する駆動信号を生成して、光源が前記駆動信号によって、対応する照度の光を発する駆動制御ユニットと、を備える。
【考案の効果】
【０００５】
本考案に係る省電力照明装置は、人体感知モジュールを備え、人体感知モジュールは、交換可能に取り付けられているので、容易に交換することができ、省電力照明装置全体を交換する必要がないため、資源の浪費を防止して、環境を保護することができる。第一実施例及び第二実施例に係る省電力照明装置を使用する際、非均一な環境照度において、一部分の省電力照明装置が自動的に明るさの強度を制御するので、ある環境照度が低い或いは照度が不均一な状況でも、一部分の単一の光源の強度を制御して、均一な明るさを作り出すことができる。また、本考案の省電力照明装置は、電力を節約して、環境を保護することができる。
【図面の簡単な説明】
【０００６】
【図１】本考案の第一実施例に係る省電力照明装置の分解斜視図である。
【図２】図１に示した省電力照明装置の人体感知モジュールを固定部材の挿し込み溝に挿し込んだ状態を示した斜視図である。
【図３】図２に示した省電力照明装置の断面図である。
【図４】本考案の第一実施例に係る省電力照明装置の人体感知モジュール及び光源の構造図である。
【図５】本考案の第二実施例に係る省電力照明装置の断面図である。
【図６】図５に示した省電力照明装置の人体感知モジュール及び光源の構造図である。
【考案を実施するための形態】
【０００７】
以下、図面に基づいて、本考案に係る人体感知モジュールを備えた省電力照明装置について詳細に説明する。
【０００８】
図１〜図４に示したように、本考案の第一実施例に係る人体感知モジュールを備えた省電力照明装置１は、感知環境において人が通過するかどうかを感知し、人を感知した或いは感知しない場合、これに対応して光源のスイッチをオン、オフ或いは明るさの強度を変更する。省電力照明装置１は、固定部材１０と、光源２０と、人体感知モジュール３０と、赤外線感知ユニット４０と、駆動制御ユニット５０と、を備える。固定部材１０には、挿し込み溝１１が設けられ、固定部材１０に設置されたプリント基板１２のコネクタ１３はこの挿し込み溝１１に収容される。光源２０は、固定部材１０と組み合わせられ、且つプリント基板１２と電気的に接続される。人体感知モジュール３０は、連接部３１を備え、連接部３１を挿し込み溝１１に挿し込んで、コネクタ１３と電気的に接続する。赤外線感知ユニット４０は、人体感知モジュール３０に設置され、人体から放射された赤外線熱輻射１００を感知して感知信号Ｓ１を送信する（図４を参照）。駆動制御ユニット５０は、人体感知モジュール３０の内部に設置され、且つ赤外線感知ユニット４０及び連接部３１にそれぞれ電気的に接続され、感知信号Ｓ１を受信し、且つ該感知信号Ｓ１と対応する駆動信号Ｓ２を生成する。光源２０は、駆動信号Ｓ２によって、対応して光源のスイッチをオン、オフ或いは明るさの強度を変更する。
【０００９】
例えば、リビング、寝室、事務室或いは会議室等室内に、本考案の第一実施例に係る省電力照明装置１を設置し、人が該室内で動いている或いは該室内を通過する際、赤外線感知ユニット４０が人体から放射された赤外線熱輻射１００を感知すると、駆動制御ユニット５０は光源２０のスイッチをオンにして室内を明るくする。人が室内にいない或いは人が室内から出た際、赤外線感知ユニット４０は、人体から放射された赤外線熱輻射１００を感知しないため、駆動制御ユニット５０は光源２０を制御して、光源２０のスイッチをオフにする或いは明るさを調整して（例えば、室内に人がいない際の照度を室内に人がいる際の照度の２分の１に調整して）、電力を節約する。
【００１０】
本考案の第一実施例に係る省電力照明装置１の光源２０は、ＬＥＤ照明灯具（例えば、ＬＥＤ灯管或いはＬＥＤ電球）である。駆動制御ユニット５０は、ＬＥＤ駆動制御ＩＣ（図示せず）を備え、ＬＥＤ駆動制御ＩＣは感知信号Ｓ１に対応する駆動信号Ｓ２を生成し、対応して光源のスイッチをオン、オフ或いは明るさの強度を変更する。
【００１１】
本考案の第一実施例に係る省電力照明装置１の赤外線感知ユニット４０は、焦電型赤外線感知部材を（図示せず）備え、焦電型赤外線感知部材は、温度の変化によって帯電現象が発生する。人が通過する際、焦電型赤外線感知部材は、人体から放射された赤外線熱輻射１００と環境温度との温度差によって感知信号Ｓ１を送信する。また、赤外線感知ユニット４０は、他の電子部材によって形成された回路を備え、例えば、時間調整チップ、継電器、各種の電子回路部材等をさらに備える。また、赤外線感知ユニット４０は、別の赤外線感知部材であることができる。例えば、サーモパイル（Ｔｈｅｒｍｏｐｉｌｅ、熱電堆）或いは光電効果を有する赤外線感知部材等であり、前記実施形態に限定されるものではなく、実際の要求及び実際に採用する電子部品によって変更することができる。
【００１２】
本実施形態において、省電力照明装置１は回路保護ユニット６０をさらに備え、回路保護ユニット６０は、人体感知モジュール３０の内部に設置されて、電流の異常、電圧の異常或いは光源２０が過熱した際、駆動制御ユニット５０と回路保護ユニット６０との間に短絡を発生させて光源２０が損傷することを防止する。本実施形態において、回路保護ユニット６０はヒューズであり、回路を保護し、過電流が光源２０に流れて光源２０が損傷することを防止する。
【００１３】
本実施形態において、省電力照明装置１は状態指示ユニット７０をさらに備える。状態指示ユニット７０は、人体感知モジュール３０に設置され、且つ赤外線感知ユニット４０と駆動制御ユニット５０とに電気的に接続されて、人体感知モジュール３０の正常或いは故障状態を知らせる。例えば、状態指示ユニット７０はＬＥＤ指示灯（図示せず）を備え、ＬＥＤ指示灯が表わす色によって、人体感知モジュール３０の内部に設置されている赤外線感知ユニット４０、駆動制御ユニット５０或いは他の回路部品が正常に作動する状態か或いは故障している状態かをユーザーに知らせる。これにより、ユーザーは、人体感知モジュール３０を修理或いは交換することができる。
【００１４】
本考案の第一実施例に係る省電力照明装置１の人体感知モジュール３０は、薄片状或いは平板状を呈している。また、チップは挿し込み式なので、ユーザーは取り付けやすい。人体感知モジュール３０を固定部材１０の挿し込み溝１１に挿し込むことで、省電力照明装置１は人体を感知することができる。また、光源２０が損傷にくいＬＥＤ照明灯具であるのに対し、人体感知モジュール３０は交換可能な部品であるので、損傷した人体感知モジュール３０のみを交換するだけで良く、省電力照明装置１全体を交換する必要がないので、資源の浪費を防止することができる。
【００１５】
図５〜図６に示したように、本考案の第二実施例に係る省電力照明装置２の駆動制御ユニット５０’はＬＥＤ駆動制御ＩＣを備え、ＬＥＤ駆動制御ＩＣはＩＣ保護回路を備え、ＩＣ保護回路は、電流の異常、電圧の異常或いは光源２０が過熱した際、駆動制御ユニット５０’及びプリント基板１２との間に短絡を発生させて光源２０が損傷することを防止する。なお、第一実施例及び第二実施例の駆動制御ユニット（ＬＥＤ駆動制御ＩＣ）を組み合わせてもよい。
【００１６】
本考案の第一実施例及び第二実施例に係る省電力照明装置１、２は、過電流によって光源２０が損傷することを防止することができる。例えば、給電電圧の異常と、プリント基板の電子部品或いは回路に発生した短絡と、複数のＬＥＤユニットの中の１つ或いは一部の損傷により発生した短絡によって発生した電圧或いは電流に異常がある際、光源２０が損傷することを防止する。また、省電力照明装置１、２は、光源２０が過熱して損傷することを防止して、ＬＥＤが熱に敏感である特性によってＬＥＤの機能を低下させることを防止するので、第一実施例及び第二実施例に係る省電力照明装置１、２は、耐久性を有し、且つ使用寿命が長い。
【００１７】
本考案の第一実施例及び第二実施例に係る省電力照明装置１、２は、人体感知モジュール３０を備え、人体感知モジュール３０は、人体から放射された赤外線熱輻射１００を感知し、これに対応して自動的に光源のスイッチをオン、オフ或いは明るさの強度を変更する。同時に、人体感知モジュール３０は交換可能に取り付けられているため、容易に人体感知モジュール３０を交換することができ、省電力照明装置１、２全体を交換する必要がなく、資源の浪費を防止して、環境を保護することができる。
【００１８】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、言うまでもない。
【符号の説明】
【００１９】
１、２  省電力照明装置
１０  固定部材
１１  挿し込み溝
１２  プリント基板
１３  コネクタ
２０  光源
３０  人体感知モジュール
３１  連接部
４０  赤外線感知ユニット
５０、５０’  駆動制御ユニット
６０  回路保護ユニット
７０  状態指示ユニット
１００  赤外線熱輻射
Ｓ１  感知信号
Ｓ２  駆動信号
【図１】
0003186754.tif 000003
【図２】
0003186754.tif 000004
【図３】
0003186754.tif 000005
【図４】
0003186754.tif 000006
【図５】
0003186754.tif 000007
【図６】
0003186754.tif 000008